(57)【要約】      （修正有）【課題】上下に連続して嵌め合せて重ね合せが可能な衣料用ハンガーを提供する。【解決手段】フレームと、フレーム上端に設けられるフック部を有する。ハンガーの側面断面が上方狭幅である略テーパ形状を呈し、且つフレームは中空状で薄壁状を呈し、フレームの上下両端にそれぞれ開口を設ける。【選択図】図３
0003169767.tif 000002
【実用新案登録請求の範囲】
【請求項１】
衣服を掛けるフレームと前記フレームの上端に設けられるフック部を有する連続して重ね合わせ可能な衣料用ハンガーであって、
前記衣料用ハンガーが側面から見て斜錘状の断面を呈し、且つ前記フレームは中空状で薄壁状を呈し、又前記フレームの上下両端にそれぞれ開口状を呈する開口を設けることを特徴とする連続して重ね合わせ可能な衣料用ハンガー。
【請求項２】
前記フレームの側面に刳り貫き部を設けたことを特徴とする請求項１記載の連続して重ね合わせ可能な衣料用ハンガー。
【請求項３】
前記フック部が中空状で薄壁状を呈してもよいことを特徴とする請求項１記載の連続して重ね合わせ可能な衣料用ハンガー。
【考案の詳細な説明】
【技術分野】
【０００１】
本考案は連続して上下に嵌め合せて重ね合せることが可能な衣料用ハンガーに関する。衣料用ハンガーを重ね合せた後のサイズが大幅に縮小できるので、効率よく収納、包装及び搬送できる。
【背景技術】
【０００２】
図１は、一般に周知の従来の衣料用ハンガーである。前記衣料用ハンガー1は外面をプラスチックカバーにより被覆された金属製針金を折り曲げて製造される。衣服をフレーム１１で支持するように三角形に折り曲げ整形される以外に、掛けることができるようにフック部１２を折り曲げ整形される。この種の衣料用ハンガー１は、いずれも一つずつ左右に連続するように重ね合せて収納又は包装を行う。その占める空間は大きくないが、しかし、この衣料用ハンガー1は、衣服を支持するフレーム11が細いので、衣服を吊るす効果に優れず、衣服の肩部が型崩れを起こす恐れがある。 
【０００３】
従って、図2に示すような衣料用ハンガー２は、同様にフック部２２を有する以外に、衣服を支持するフレーム２１が幅広に設計されており、衣服の肩部において支持性に優れており、型崩れしにくい。しかし、この種の衣料用ハンガー２も収納や包装時に、一つずつ左右に連続して重ね合せるように配列してまとめるが、前記衣料用ハンガー2のフレーム２１が幅広に設計されているため、重ね合せた後の複数のハンガーが占める空間は非常に大きくなるばかりか、固定が困難なため、ばらばらに分散しやすく、収納や包装が行いづらくなるとともに、搬送のコストにも影響を与える。
【考案の概要】
【考案が解決しようとする課題】
【０００４】
以上より、前記周知の衣料用ハンガーが重ね合せると収納や包装に困難をきたし、ばらばらになり分散しやすい問題を改善するために、本考案は中空状を呈し、上下に連続して嵌め合せることが可能な衣料用ハンガーを提供することで、衣料用ハンガーの収納、包装が更に容易になり、固定しやすく分散するのを防止する。
【課題を解決するための手段】
【０００５】
本考案がその技術課題を解決するために、前記衣料用ハンガーが略「へ」の字又は三角形を呈して衣服を掛けることが可能なフレーム及び前記フレームの上端に設けられるフック部を有し、前記フレームは中空状で薄壁状であり、且つ、上下両端に開口を備えるとともに、前記衣料用ハンガーの側面断面が斜錘状を呈している。
【０００６】
上記考案において、前記フレームの側面に刳り貫き部を設ける。
【０００７】
上記考案において、前記フック部も中空状薄壁状を呈する。
【考案の効果】
【０００８】
本考案の有益な効果は、上記中空状の衣料用ハンガーにより、各ハンガーとの間で上下に連続して嵌め合せることが可能になり、重ね合せが更に容易になる以外にも、重ね合せた後も整理されて分散しないとともに、各ハンガーが重ね合せられた体積も大幅に縮小でき、ユーザーが収納を行う際又は業者が包装を行う際に、占める空間が大きくなく、包装のサイズと搬送コストを削減することが可能である。
【図面の簡単な説明】
【０００９】
【図１】従来の衣料用ハンガー（一）の図である。
【図２】従来の衣料用ハンガー（二）の図である。
【図３】本考案の衣料用ハンガーの立体図である。
【図４】本考案の衣料用ハンガーの前方横断図である。
【図５】本考案の衣料用ハンガーの側面から見た横断図である。
【図６】本考案の衣料用ハンガーの前方からの嵌め合せ図である。
【図７】本考案の衣料用ハンガーの側面から見た嵌め合せ図である。
【考案を実施するための形態】
【実施例】
【００１０】
図３、４、及び５に示すように、本考案の衣料用ハンガー３は、略「へ」の字又は三角形を呈して衣服を掛けることが可能なフレーム３１及び前記フレーム３１の上端において設けられるフック部３２を有する。前記フレーム３１は中空状で薄壁状に設計され、フック部３２も中実状又は中空状薄壁状を呈するように設計することができ、又前記フレーム３１の上端と下端はそれぞれ開口状を呈する開口３４、３５を設ける。又、前記フレーム３１の側面に刳り貫き部３３を設ける。
【００１１】
よって、図６、７に示すように、複数の衣料用ハンガー３を収納又は包装する際に、空間と体積を節約するため、衣料用ハンガー３のフック部３２をもう一つの衣料用ハンガー３の下方の開口３５から挿し込み、更に上方の開口３４まで挿入して、前記二つの衣料用ハンガー３を重なるように嵌め合せる。このように、同様の方法で、他の衣料用ハンガー３を連続して重ね合せると、各衣料用ハンガー３との間で、良好に位置づけされて固定され、ばらばらに分散することを防止し、且つ嵌め合せが容易なうえに、重ね合せられた後の複数の衣料用ハンガー３はその占める空間が大幅に縮小するので、ユーザーの収納スペースを取らないばかりか、業者にとっても、包装する体積を節約でき、更に搬送のコストも大幅に削減できる。 
【符号の説明】
【００１２】
3  衣料用ハンガー
31  フレーム
32  フック部
33  刳り貫き部
34,35  開口
【図１】
0003169767.tif 000003
【図２】
0003169767.tif 000004
【図３】
0003169767.tif 000005
【図４】
0003169767.tif 000006
【図５】
0003169767.tif 000007
【図６】
0003169767.tif 000008
【図７】
0003169767.tif 000009
【手続補正書】
【提出日】平成23年6月13日(2011.6.13)
【手続補正１】
【補正対象書類名】実用新案登録請求の範囲
【補正対象項目名】請求項１
【補正方法】変更
【補正の内容】
【請求項１】
衣服を掛けるフレームと前記フレームの上端に設けられるフック部を有する連続して重ね合わせ可能な衣料用ハンガーであって、
前記衣料用ハンガーの側面断面が上方狭幅である略テーパ形状を呈し、且つ前記フレームは中空状で薄壁状を呈し、又前記フレームの上下両端にそれぞれ開口状を呈する開口を設けることを特徴とする連続して重ね合わせ可能な衣料用ハンガー。
【手続補正２】
【補正対象書類名】明細書
【補正対象項目名】０００５
【補正方法】変更
【補正の内容】
【０００５】
本考案がその技術課題を解決するために、前記衣料用ハンガーが略「へ」の字又は三角形を呈して衣服を掛けることが可能なフレーム及び前記フレームの上端に設けられるフック部を有し、前記フレームは中空状で薄壁状であり、且つ、上下両端に開口を備えるとともに、前記衣料用ハンガーの側面断面が上方狭幅である略テーパ形状を呈している。